(57)【要約】【課題】  本発明は、上位者が儲かるシステムはあったが、下位者が儲かるシステムが無かった。又いままでは会社が商品を一方的に会員及び消費者に提供していた。【解決手段】会社、商品を取り扱っている会社、商品を発見した会員、第１発見者の直接の上位者及び直接の下位者が儲かる、又会員が発見した商品を提供され的確に消費動向にそった商品販売ができるビジネスモデルである。【選択図】    図１
2006202243.tif 000002
【特許請求の範囲】
【請求項１】
会員が商品を発見し、商品販売に応じ商品の１個あたりの粗利に会社の設定した報酬率を乗じそれに個数を乗じた値を報酬としてコンピュータで計算して商品を発見した会員に対して報酬を支払いこれを商品別に行なうビジネスモデル。
【請求項２】
商品別に発見した会員の直接の上位者も商品販売に応じ商品の１個あたりの粗利に会社の設定した紹介報酬率を乗じそれに個数を乗じた値を報酬としてコンピュータで計算して商品別を発見した会員の直接の上位者に対して報酬が支払う、と直接の下位者各々も商品販売に応じ商品の１個あたりの粗利に会社の設定した報酬率を乗じそれに個数を乗じ下位者の人数分の１を乗じた値を報酬としてコンピュータで計算して商品を発見した各々会員直接の下位者各々に対して報酬を支払うビジネスモデル。
【請求項３】
商品別の第１発見者以降各々会員も商品販売に応じ商品の１個あたりの粗利に会社の設定した報酬率を乗じそれに個数を乗じ第１発見者以降各々会員の人数分の１を乗じた値を報酬としてコンピュータで計算して商品別に発見した第１発見者以降各々会員直接に対して報酬を支払うビジネスモデル。
【発明の詳細な説明】
【技術分野】
【０００１】  本発明は、商品を消費者でもある会員が商品を発見し会社が販売して、販売量に応じて会員に報酬を与えるビジネスモデルに関する。
【背景技術】
【０００２】  従来のビジネスシステムにおいては販売会社が一方的に商品を紹介し売買を行なう。
【発明の開示】
【発明の解決しようとする課題】
【０００３】  販売会社が一方的に商品を紹介し売買を行なっていたが、消費者兼会員が商品を発見紹介し，報酬を販売会社から商品の販売数に応じて貰える。
【課題を解決するための手段】
【０００４】  上記を行なう為に会社が商品を紹介する消費者兼会員を募集し会員から商品の紹介を行なった時、会社は紹介された商品を取り扱っている会社と契約し、カタログ等に掲載し販売する。商品１個あたりの粗利に会社の設定した報酬率等を設定し販売個数を乗じて紹介した会員兼消費者に報酬として支払う。また、消費者でもある会員が発見するので消費者の嗜好している商品を素早く多くの消費者に提供できる。
【発明の効果】
【０００５】  以上のように本発明は、消費者でもある会員は報酬を会社から貰えて会社は商品を探す手間が省けかつ会員の嗜好を素早く提供でき、商品を取り扱っている会社は新しい販路を開拓できる。
【発明を実施するための最良の形態】
【０００６】  販売する会社（以下会社と呼ぶ）は商品を買う消費者、兼商品を紹介してくれる消費者及び第三の消費者を紹介する人である消費者兼紹介者（以下会員と呼ぶ）を募集する。会員が商品を見つけて会社に報告し、会社が商品を取り扱っている会社と交渉し契約成立後その商品を会社のカタログ等に掲載し販売する。販売１個あたりに会社の粗利の数％から数十％を会社が設定し販売個数を乗じた金額を報酬として会員に支払う。しかし、商品を発見するのは１人とは限らないので上記の報酬の設定は第１発見者のみとし、第２発見者以降の商品を発見した会員α、β・・は販売１個あたりに会社の粗利の数％から数十％を会社が設定し販売個数を乗じかつ第２発見者以降の発見者人数分の１を乗じた金額を報酬として会員に支払う。
上記の募集において会員が会員を募集するのを図にすると図１を説明する。例えば会員Ａが商品を見つけてくると上記の取り決めにより数％から数十％を設定の報酬を会社から報酬が貰える。また、第１発見者である会員Ａ（以降会員Ａと呼ぶ）を紹介した会員Ｂは販売１個あたりに会社の粗利の数％から数十％を会社が設定し販売個数を乗した金額を報酬として会員に支払う。会員Ａが紹介した会員Ｃ、Ｄ・・・以下は販売１個あたりに会社の粗利の数％から数十％を会社が設定し販売個数を乗した金額を会員Ａが紹介した人数で割った報酬として会員Ｃ、Ｄ・・・以下に支払う。
上記の会員に支払う報酬は各々の資格は商品の第１発見者、第２発見者以降、第１発見者の上位者、第１発見者の下位者とゆうように資格が異なりそれにより報酬率及び報酬額が相違する。以上の事が商品ごとに発生するのでそれをコンピュータで計算する。
故に会員同士の双方向性が保たれ、会員同士の交流が活発になり商品を取り扱っている会社及び会社の売上に貢献する。
商品を取り扱っている会社は労少なく新しく販路を開拓でき、会社が宣伝等をする為宣伝費を削減できる。また、消費者でもある会員が発見するので消費者の嗜好している商品を素早く多くの消費者に提供できる。
要約すると会員は利益を得、商品を取り扱っている会社、及び会社は売上が上がり利益を得ることとなり三方得となるシステムである。
【実施例】
【０００７】  図２を使い商品の流れを説明する。
会員Ａが商品を発見し会社に紹介し、商品を取り扱っている会社と会社が契約を結び契約が成立すると会社がその商品をカタログ、インターネット等で掲載し販売する。
一方、商品を取り扱っている会社は公告宣伝費など使わずに上記のカタログ、インターネット等に掲載される。会員または一般消費者が会社の商品をタログ、インターネット等で掲載を閲覧し会社に注文する。会社は注文された商品を商品を取り扱っている会社に発注し、会員または一般消費者に商品を取り扱っている会社から発送して代金を貰う。貰った代金の２５％を仲介料として商品を取り扱っている会社から会社に支払う。
図１及び図３で上記の図２で発生した報酬及び仲介料の詳細を説明する
図１にあるように会員Ａ，Ｂ，Ｃ，Ｄ，Ｅそれぞれ紹介で相関関係を形成している。
この中で会員Ａ商品を発見し会社に紹介した場合、会社は商品を発見した会員Ａに仲介料を１００％としその中から８％を会員に売れた商品の個数分を乗じた金額を報酬として支払う。
会員Ｂは商品を発見した会員Ａの上位者の為、会員Ｂに仲介料を１００％としその中から３％を会員に売れた商品の個数分を乗じた金額を報酬として支払う。
会員Ｃ、Ｄ、Ｅは商品を発見した会員Ａの下位者の為、会員Ｃ、Ｄ、Ｅに仲介料を１００％としその中から５％を会員に売れた商品の個数分を乗じ１／３で割った金額を会員Ｃ、Ｄ、Ｅそれぞれに報酬として支払う。しかし、商品を発見するのは１人とは限らないので上記の報酬の設定は第１発見者と相関関係がある会員のみとし、第２発見者以降の商品を発見した会員α、βは販売１個あたりに会社の粗利の４％に販売個数を乗じかつ１／２を乗じた金額を会員α、β各々に報酬として会員に支払う。会社のカタログ等に掲載する商品は数万点あり、同時に発見者等も数万人になりかつ図１の相関関係を形成しているためコンピュータを使用し上記の計算をさせる。
以上のように図１の相関関係人には販売された商品個数応じて報酬が会社からもらえる仕組みのため広く利益を還元がされる。
【図面の簡単な説明】
【０００８】
【図１】会員相関図
【図２】商品等の相関図
【図３】システム図
【図１】
2006202243.tif 000003
【図２】
2006202243.tif 000004
【図３】
2006202243.tif 000005